(57)【要約】【課題】撮影者の手振れ特性の違いや撮影状況の違いによる像振れ補正性能の低下を防止する。【解決手段】この像振れ補正装置は、撮像装置に加えられる手振れを検出する検出手段２０１と、手振れにより生ずる被写体像の画像振れを補正する第１、第２の補正手段１０３、１１３と、第１の補正手段１０３の位置を検出し、第１の位置検出信号を出力する第１の位置検出手段２０９と、第１の位置検出手段２０９よりも位置検出範囲が狭く、第２の補正手段１１３の位置を検出し、第２の位置検出信号を出力する第２の位置検出手段２１６と、を備え、第１の補正手段１０３は、手振れによる第１の像振れ信号と第１の位置検出信号とに基づいて駆動され、第２の補正手段１１３は、第１の像振れ信号と異なる第２の像振れ信号と第２の位置検出信号とに基づいて駆動される。【選択図】図１０
2015102776.tif 000002
【特許請求の範囲】
【請求項１】
撮像装置に加えられる手振れを検出する検出手段と、
前記手振れにより生ずる被写体像の画像振れを補正する第１、第２の補正手段と、
前記第１の補正手段の位置を検出し、第１の位置検出信号を出力する第１の位置検出手段と、
前記第１の位置検出手段よりも位置検出範囲が狭く、前記第２の補正手段の位置を検出し、第２の位置検出信号を出力する第２の位置検出手段と、
を備え、
前記第１の補正手段は、前記手振れによる第１の像振れ信号と前記第１の位置検出信号とに基づいて駆動され、前記第２の補正手段は、前記第１の像振れ信号と異なる第２の像振れ信号と前記第２の位置検出信号とに基づいて駆動される
ことを特徴とする像振れ補正装置。
【請求項２】
前記第２の像振れ信号は、前記第１の像振れ信号と第１の位置検出信号を減算して算出された補正残り信号である
ことを特徴とする請求項１に記載の像振れ補正装置。
【請求項３】
前記第１の像振れ信号は、前記手振れによる像振れ信号から抽出された低周波成分の信号であり、前記第２の像振れ信号は、前記手振れによる像振れ信号から抽出された高周波成分の信号である
ことを特徴とする請求項１に記載の像振れ補正装置。
【請求項４】
前記第１の補正手段と前記第２の補正手段とは、少なくとも、像振れ補正の補正角度、各々の補正手段の駆動による光学性能劣化、駆動方式、配置位置、各々の補正手段の位置検出信号の増幅率、各々の補正手段の現在位置を制御する手段の周波数帯域、のうちのいずれかが互いに異なる
ことを特徴とする請求項１に記載の像振れ補正装置。
【請求項５】
前記第１の補正手段の前記像振れ補正の角度は、前記第２の補正手段の前記像振れ補正の補正角度に比べて広い
ことを特徴とする請求項４に記載の像振れ補正装置。
【請求項６】
前記第１の補正手段は、第２の補正手段に比べて、駆動による光学性能劣化が小さくなるように構成されている
ことを特徴とする請求項４または５に記載の像振れ補正装置。
【請求項７】
前記第１の補正手段の駆動方式は、前記第１の補正手段を前記撮像装置の撮影光学系の光軸に対してチルトする駆動方式であり、
前記第２の補正手段の駆動方式は、前記第２の補正手段を前記光軸と直交する方向にシフトする駆動方式である
ことを特徴とする請求項４〜６のいずれか１項に記載の像振れ補正装置。
【請求項８】
前記第１の補正手段は、前記第２の補正手段に比べて、被写体に近い位置に配置される
ことを特徴とする請求項４〜７のいずれか１項に記載の像振れ補正装置。
【請求項９】
前記第１の補正手段の位置検出信号を増幅する第１の信号増幅手段と、
前記第２の補正手段の位置検出信号を増幅する第２の信号増幅手段とをさらに備え、
前記第１の信号増幅手段による信号増幅率は、前記第２の信号増幅手段による信号増幅率に比べて小さい
ことを特徴とする請求項４〜８のいずれか１項に記載の像振れ補正装置。
【請求項１０】
前記第１の補正手段の現在位置をフィードバック制御する第１のフィードバック制御手段と、
前記第２の補正手段の現在位置をフィードバック制御する第２のフィードバック制御手段とを備え、
前記第２のフィードバック制御手段の周波数帯域は、前記第１のフィードバック制御手段の周波数帯域より広い
ことを特徴とする請求項４〜９のいずれか１項に記載の像振れ補正装置。
【請求項１１】
撮像装置に加えられる振れを検出する検出工程と、
前記振れにより生ずる被写体像の画像振れを補正する第１、第２の補正工程と、
前記第１の補正工程における第１の補正手段の位置を検出し、第１の位置検出信号を出力する第１の位置検出工程と、
前記第１の位置検出工程よりも位置検出範囲が狭く、前記第２の補正工程における第２の補正手段の位置を検出し、第２の位置検出信号を出力する第２の位置検出工程と、
を有し、
前記第１の補正工程では、前記手振れによる第１の像振れ信号と前記第１の位置検出信号とに基づいて補正し、前記第２の補正工程では、前記第１の像振れ信号と異なる第２の像振れ信号と前記第２の位置検出信号とに基づいて補正する
ことを特徴とする像振れ補正装置の制御方法。
【請求項１２】
請求項１〜１０のいずれか１項に記載の像振れ補正装置を備える撮像装置。
【発明の詳細な説明】
【技術分野】
【０００１】
本発明は、像振れ補正装置、その制御方法および撮像装置に関する。
【背景技術】
【０００２】
デジタルカメラ等の撮像装置による画像撮像時に、カメラ本体を保持するユーザの手が揺れる（手振れが発生する）ことにより、被写体像に振れ（像振れ）が生ずる場合がある。この像振れを補正する像振れ補正手段を備える撮像装置が提案されている。
【０００３】
像振れ補正手段による補正処理としては、従来より光学像振れ補正処理や、電子的像振れ補正処理が用いられている。光学式像振れ補正処理は、角速度センサ等でカメラ本体に加えられた振動を検出し、検出結果に応じて撮像光学系内部に設けられた像振れ補正レンズを移動させる。これにより、撮像光学系の光軸方向を変化させることによって撮像素子の受光面に結像される像を移動して像振れを補正する。また、電子式像振れ補正処理は、撮像画像に対して画像処理を行って、擬似的に像振れを補正する処理である。
【０００４】
従来の像振れ補正手段による像振れ補正性能は、例えば、撮影状況の違い、撮影者の手振れ特性の違いなどによって影響を受けやすい。撮影者の手振れ特性の違いとしては、撮影者固有の手振れの大きい周波数帯域が異なることがある。また、撮影状況の違いとしては、例えば、乗り物に乗りながら撮影する状況や、歩き撮り撮影する状況などが考えられる。このような状況では、像振れ量が大きいので、像振れ補正手段の補正できる振れ量を大きくする必要があるが、像振れ補正量を大きくするためには、像振れ補正手段が大型化してしまう。
【０００５】
特許文献１は、固定部材を挟んで前後にそれぞれ第１の補正部材を保持する第１の可動鏡筒と、第２の補正部材を保持する第２の可動鏡筒が配置された像振れ補正装置を開示している。
【先行技術文献】
【特許文献】
【０００６】
【特許文献１】特開２００９−２５８３８９号公報
【発明の概要】
【発明が解決しようとする課題】
【０００７】
特許文献１が開示する像振れ補正装置は、第１の補正部材と第２の補正部材を逆向きに駆動することで、少ない駆動ストロークで大きな補正角を得ることができる。しかし、この像振れ補正装置のように、単に補正角度を大きくするだけでは、撮影者の手振れ特性の違いや撮影状況の違いによって、像振れ補正性能が低下してしまう。
【０００８】
本発明は、撮影者の手振れ特性の違いや撮影状況の違いによる像振れ補正性能の低下を防止する像振れ補正装置の提供を目的とする。
【課題を解決するための手段】
【０００９】
本発明の一実施形態の像振れ補正装置は、撮像装置に加えられる手振れを検出する検出手段と、前記手振れにより生ずる被写体像の画像振れを補正する第１、第２の補正手段と、前記第１の補正手段の位置を検出し、第１の位置検出信号を出力する第１の位置検出手段と、前記第１の位置検出手段よりも位置検出範囲が狭く、前記第２の補正手段の位置を検出し、第２の位置検出信号を出力する第２の位置検出手段と、を備え、前記第１の補正手段は、前記手振れによる第１の像振れ信号と前記第１の位置検出信号とに基づいて駆動され、前記第２の補正手段は、前記第１の像振れ信号と異なる第２の像振れ信号と前記第２の位置検出信号とに基づいて駆動されることを特徴とする。
【発明の効果】
【００１０】
本発明の像振れ補正装置によれば、撮影条件、撮影者等の振れ量、振れ周波数の違いによる像振れ補正性能低下の影響を受けにくい、良好な像振れ補正を実現できる。
【図面の簡単な説明】
【００１１】
【図１】本実施形態の撮像装置の構成例を示す図である。
【図２】本実施形態の像振れ補正装置の構成を示す図である。
【図３】像振れ補正レンズ駆動部の分解斜視図の例である。
【図４】像振れ補正レンズ駆動部の構成を示す図である。
【図５】振れ信号を補正する機構を示す図である。
【図６】像振れ補正レンズの目標位置算出処理を説明するフローチャートである。
【図７】第２実施形態に係る像振れ補正制御部およびレンズ制御部の内部構成を示すブロック図である。
【図８】第２実施形態に係る像振れ補正レンズの目標位置検出処理を説明するフローチャートである。
【図９】第１および第２の像振れ補正レンズの制御条件を示す表である。
【図１０】現在位置検出手段の検出精度の関係を示す図である。
【発明を実施するための形態】
【００１２】
（第１実施形態）
図１は、本実施形態の撮像装置の構成例を示す図である。図１に示す撮像装置は、デジタルスチルカメラである。なお、本実施形態の撮像装置が、動画撮影機能を有していてもよい。
【００１３】
図１に示す撮像装置は、ズームユニット１０１乃至制御部１１９を備える。ズームユニット１０１は、結像光学系を構成する、倍率が可変な撮影レンズの一部である。ズームユニット１０１は、撮影レンズの倍率を変更するズームレンズを含んでいる。ズーム駆動部１０２は、制御部１１９の制御に従ってズームユニット１０１の駆動を制御する。第１像振れ補正レンズ１０３は、像振れを補正する補正部材である。第１像振れ補正レンズ１０３は、撮影レンズの光軸に対して直交する方向に移動可能に構成されている。像振れ補正レンズ駆動部１０４は、第１像振れ補正レンズ１０３の駆動を制御する。第２像振れ補正レンズ１１３は、第１像振れ補正レンズ１０３と同等の構成を有し、同様に像振れ補正レンズ駆動部１０４によって駆動制御される。
【００１４】
絞り・シャッタユニット１０５は、絞り機能を有するメカニカルシャッタである。絞り・シャッタ駆動部１０６は、制御部１１９の制御に従って絞り・シャッタユニット１０５を駆動する。フォーカスレンズ１０７は撮影レンズの一部であり、撮影レンズの光軸に沿って位置を変更可能に構成される。フォーカス駆動部１０８は、制御部１１９の制御に従ってフォーカスレンズ１０７を駆動する。
【００１５】
撮像部１０９は、撮影レンズによる光学像を、ＣＣＤイメージセンサや、ＣＭＯＳイメージセンサなどの撮像素子を用いて画素単位の電気信号に変換する。ＣＣＤは、Ｃｈａｒｇｅ  Ｃｏｕｐｌｅｄ  Ｄｅｖｉｃｅの略称である。ＣＭＯＳは、Ｃｏｍｐｌｅｍｅｎｔａｒｙ  Ｍｅｔａｌ−Ｏｘｉｄｅの略称である。撮像信号処理部１１０は、撮像部１０９から出力された電気信号に対して、Ａ／Ｄ変換、相関二重サンプリング、ガンマ補正、ホワイトバランス補正、色補間処理等を行い、映像信号に変換する。映像信号処理部１１１は、撮像信号処理部１１０から出力された映像信号を、用途に応じて加工する。具体的には、映像信号処理部１１１は、表示用の映像を生成したり、記録用に符号化処理やデータファイル化を行ったりする。
【００１６】
表示部１１２は、映像信号処理部１１１が出力する表示用の映像信号に基づいて、必要に応じて画像表示を行う。電源部１１５は、撮像装置全体に、用途に応じて電源を供給する。外部入出力端子部１１６は、外部装置との間で通信信号及び映像信号を入出力する。操作部１１７は、撮像装置にユーザが指示を与えるためのボタンやスイッチなどを有する。記憶部１１８は、映像情報など様々なデータを記憶する。制御部１１９は、例えばＣＰＵ、ＲＯＭ、ＲＡＭを有し、ＲＯＭに記憶された制御プログラムをＲＡＭに展開してＣＰＵで実行することによって撮像装置の各部を制御し、以下に説明する様々な動作を含む撮像装置の動作を実現する。ＣＰＵは、Ｃｅｎｔｒａｌ  Ｐｒｏｃｅｓｓｉｎｇ  Ｕｎｉｔの略称である。ＲＯＭは、Ｒｅａｄ  Ｏｎｌｙ  Ｍｅｍｏｒｙの略称である。ＲＡＭは、Ｒａｎｄｏｍ  Ａｃｃｅｓｓ  Ｍｅｍｏｒｙの略称である。
【００１７】
操作部１１７は、押し込み量に応じて第１スイッチ（ＳＷ１）および第２スイッチ（ＳＷ２）が順にオンするように構成されたレリーズボタンを有する。レリーズボタンが、半押しさた場合にレリーズスイッチＳＷ１がオンし、レリーズボタンが最後まで押し込まれたときにレリーズスイッチＳＷ２がオンする。レリーズスイッチＳＷ１がオンすると、制御部１１９が、映像信号処理部１１１が表示部１１２に出力する表示用の映像信号に基づいてＡＦ評価値を算出する。そして、制御部１１９が、ＡＦ評価値に基づいて、フォーカス駆動部１０８を制御することにより自動焦点検出を行う。
【００１８】
また、制御部１１９は、映像信号の輝度情報と、予め定められたプログラム線図とに基づいて、適切な露光量を得るための絞り値及びシャッタスピードを決定するＡＥ処理を行う。レリーズスイッチＳＷ２がオンされると、制御部１１９は、決定した絞り及びシャッタ速度で撮影を行い、撮像部１０９で得られた画像データを記憶部１１８に記憶するように各処理部を制御する。
【００１９】
操作部１１７は、さらに、振れ補正モードを選択可能にする像振れ補正スイッチを有する。像振れ補正スイッチにより振れ補正モードが選択されると、制御部１１９が、像振れ補正レンズ駆動部１０４に像振れ補正動作を指示し、これを受けた像振れ補正レンズ駆動部１０４が、像振れ補正オフの指示がなされるまで像振れ補正動作を行う。また、操作部１１７は、静止画撮影モードと動画撮影モードとのうちの一方を選択可能な撮時モード選択スイッチを有する。撮影モード選択スイッチの操作による撮影モードの選択を通じて、制御部１１９は、像振れ補正レンズ駆動部１０４の動作条件を変更することができる。像振れ補正レンズ駆動部１０４によって、本実施形態の像振れ補正装置が構成される。
【００２０】
また、操作部１１７は、再生モードを選択するための再生モード選択スイッチも有する。再生モード選択スイッチの操作によって、再生モードが選択されると、制御部１１９が像振れ補正動作を停止する。また、操作部１１７には、ズーム倍率変更の指示を行う倍率変更スイッチが含まれる。倍率変更スイッチの操作によって、ズーム倍率変更の指示がされると、制御部１１９を介して指示を受けたズーム駆動部１０２が、ズームユニット１０１を駆動して、指示されたズーム位置にズームユニット１０１を移動させる。
【００２１】
図２は、本実施形態の像振れ補正装置の構成を示す図である。
第１振動センサ２０１は、例えば角速度センサであり、通常姿勢（画像の長さ方向が水平方向とほぼ一致する姿勢）における、撮像装置の垂直方向（ピッチ方向）の振動を検出する。第２振動センサ２０２は例えば角速度センサであり、通常姿勢における撮像装置の水平方向（ヨー方向）の振動を検出する。第１像振れ補正制御部２０３は、ピッチ方向における像振れ補正レンズの補正位置制御信号を出力し、像振れ補正レンズの駆動を制御する。第２像振れ補正制御部２０４は、ヨー方向における像振れ補正レンズの補正位置制御信号を出力し、像振れ補正レンズの駆動を制御する。
【００２２】
第１レンズ位置制御部２０５は、第１像振れ補正制御部２０３からのピッチ方向での補正位置制御信号と、第１ホール素子２０９からの像振れ補正レンズのピッチ方向での位置情報とから、フィードバック制御を行う。これにより、第１レンズ位置制御部２０５は、例えば、アクチュエータである第１ドライブ部２０７を駆動する。同様に、第２レンズ位置制御部２０６は、第２像振れ補正制御部２０４からのヨー方向での補正位置制御信号と、第２ホール素子２１０からの像振れ補正レンズのヨー方向での位置情報とから、フィードバック制御を行う。これにより、第２レンズ位置制御部２０６は、例えば、アクチュエータである第２ドライブ部２０８を駆動する。
【００２３】
次に、像振れ補正レンズ駆動部１０４による第１像振れ補正レンズ１０３の駆動制御動作について説明する。
第１像振れ補正制御部２０３、第１振動センサ２０１から撮像装置のピッチ方向の振れを表す振れ信号（角速度信号）が供給される。また、第２像振れ補正制御部２０４には、第２振動センサ２０２から撮像装置のヨー方向の振れを表す振れ信号（角速度信号）が供給される。
【００２４】
第１像振れ補正制御部２０３は、供給された振れ信号に基づいて、ピッチ方向に第１像振れ補正レンズ１０３を駆動する補正位置制御信号を生成し、第１レンズ位置制御部２０５に出力する。また、第２像振れ補正制御部２０４は、供給された振れ信号に基づいて、ヨー方向に第１像振れ補正レンズ１０３を駆動する補正位置制御信号を生成し、第２レンズ位置制御部２０６に出力する。
【００２５】
第１ホール素子２０９は、第１像振れ補正レンズ１０３に設けられた磁石による磁場の強さに応じた電圧を有する信号を、第１像振れ補正レンズ１０３のピッチ方向における位置情報として出力する。第２ホール素子２１０は、第１像振れ補正レンズ１０３に設けられた磁石による磁場の強さに応じた電圧を有する信号を、第１像振れ補正レンズ１０３のヨー方向における位置情報として出力する。位置情報は、第１レンズ位置制御部２０５、第２レンズ位置制御部２０６に供給される。
【００２６】
第１レンズ位置制御部２０５は、第１ホール素子２０９からの信号値が、第１像振れ補正制御部２０３からの補正位置制御信号値に収束するよう、第１ドライブ部２０７を駆動しながらフィードバック制御する。また、第２レンズ位置制御部２０６は、第２ホール素子２１０からの信号値が、第２像振れ補正制御部２０４からの補正位置制御信号値に収束するよう、第２ドライブ部２０８を駆動しながらフィードバック制御する。
【００２７】
なお、第１ホール素子２０９、第２ホール素子２１０から出力される位置信号値には、ばらつきがあるので、所定の補正位置制御信号に対して第１像振れ補正レンズ１０３が所定の位置に移動するように、第１及び第２ホール素子２０９，２１０の出力調整を行う。
【００２８】
第１像振れ補正制御部２０３は、第１振動センサ２０１からの振れ情報に基づき、被写体像の画像振れを打ち消すように第１像振れ補正レンズ１０３の位置を移動させる補正位置制御信号を出力する。第２像振れ補正制御部２０４は、第２振動センサ２０２からの振れ情報に基づき、画像振れを打ち消すように第１像振れ補正レンズ１０３の位置を移動させる補正位置制御信号を出力する。
【００２９】
第２像振れ補正制御部２０４は、第２振動センサ２０２からの振れ情報に基づき、画像振れを打ち消すように第１像振れ補正レンズ１０３の位置を移動させる補正位置制御信号を出力する。例えば、第１像振れ補正制御部２０３、第２像振れ補正制御部２０４は、振れ情報（角速度信号）または振れ情報にフィルタ処理等を行うことにより、補正速度制御信号または補正位置制御信号を生成する。以上の動作により、撮影時に手振れ等の振動が撮像装置に存在しても、ある程度の振動までは画像振れを防止できる。また、第１像振れ補正制御部２０３、第２像振れ補正制御部２０４は、第１振動センサ２０１、第２振動センサ２０２からの振れ情報と、第１ホール素子２０９、第２ホール素子２１０の出力に基づいて、撮像装置のパンニング状態を検出し、パンニング制御を行う。
【００３０】
第２像振れ補正制御部２０４による第２像振れ補正レンズ１１３の駆動制御動作は、像振れ補正レンズ駆動部１０４による第１像振れ補正レンズ１０３の駆動制御動作と同様である。すなわち、第２像振れ補正レンズ制御部２０４が、供給された振れ信号に基づいて、ピッチ方向に第２像振れ補正レンズ１１３を駆動する補正位置制御信号を生成し、第３レンズ位置制御部２１１に出力する。また、第２像振れ補正制御部２０４が、供給された振れ信号に基づいて、ヨー方向に第２像振れ補正レンズ１１３を駆動する補正位置制御信号を生成し、第４レンズ位置制御部２１２に出力する。
【００３１】
第３レンズ位置制御部２１１は、第３ホール素子２１６からの信号値が、第１像振れ補正制御部２０３からの補正位置制御信号値に収束するよう、第３ドライブ部２１４を駆動しながらフィードバック制御する。また、第４レンズ位置制御部２１２は、第４ホール素子２１３からの信号値が、第２像振れ補正制御部２０４からの補正位置制御信号値に収束するよう、第４ドライブ部２１５を駆動しながらフィードバック制御する。
【００３２】
本実施形態では、第１像振れ補正制御部２０３、第１レンズ位置制御部２０５および第１ドライブ部２０７が、ピッチ方向の振れ信号の低周波成分を補正する。また、第１像振れ補正制御部２０３、第３レンズ位置制御部２０５および第３ドライブ部２１４が、ピッチ方向の振れ信号の高周波成分を補正する。
【００３３】
また、第２像振れ補正制御部２０４、第２レンズ位置制御部２０６および第２ドライブ部２０８が、ヨー方向の振れ信号の低周波成分を補正する。また、第２像振れ補正制御部２０４、第４レンズ位置制御部２１２および第４ドライブ部２１５が、ヨー方向の振れ信号の高周波成分を補正する。
【００３４】
図３は、像振れ補正レンズ駆動部１０４の分解斜視図の例である。
像振れ補正レンズ駆動部１０４は、第１像振れ補正レンズ１０３、可動鏡筒１２２、固定地板１２３、転動ボール１２４、第１電磁駆動部２０７、第２の電磁駆動部２０８を備える。また、像振れ補正レンズ駆動部１０４は、付勢ばね１２７、第１位置センサ２０９、第２位置センサ２１０、センサーホルダー１２９を備える。
【００３５】
第１電磁駆動部２０７は、第１磁石１２５１、第１コイル１２５２、第１ヨーク１２５３を備える。第２電磁駆動部２０８は、第２磁石１２６１、第２コイル１２６２、第２ヨーク１２６３を備える。
【００３６】
第１像振れ補正レンズ１０３は、光軸を偏心させることのできる第１の補正光学部材である。第１像振れ補正レンズ１０３は、第１像振れ補正制御部２０３、第２像振れ補正制御部２０４により駆動制御される。これにより、撮像光学系を通過した光像を移動させる像振れ補正動作が行われ、撮像面での像の安定性を確保することができる。なお、本実施形態では、補正光学系として補正レンズを用いているが、撮影光学系に対してＣＣＤなどの撮像手段を駆動することでも、撮像面での像の安定性を確保できる。すなわち、撮像手段を、像振れを補正する手段として用いてもよい。
【００３７】
可動鏡筒１２２は、中央の開口部に第１像振れ補正レンズ１０３を保持する第１の可動部である。可動鏡筒１２２は、第１磁石１２５１および第２磁石１２５２を保持する。また、可動鏡筒１２２は、転動ボール受け部を３個備えており、転動ボール１２４によって、光軸と直交する面内を移動可能に転動支持される。また、可動鏡筒１２２は、ばねかけ部を３個所備えており、付勢ばね１２７の一端を保持できる。
【００３８】
固定地板１２３は、円筒形状に形成される第１の固定部材である。固定地板１２３は、外周部の３個所にフォロワー１２３１を備える。固定地板１２３の中央の開口部に、可動鏡筒１２２が配置されている。これにより、可動鏡筒１２２の可動量を制限することができる。
【００３９】
また、固定地板１２３は、第１磁石１２５１の着磁面と対向する個所において、第１のコイル１２５２および第１のヨーク１２５３を保持する。また、固定地板１２３は、第２磁石１２６１の着磁面と対向する個所において、第２のコイル１２６２および第２のヨーク１２６３を保持する。また、固定地板１２３は、転動ボール受け部を３個備え、可動鏡筒１２２を、転動ボール１２４を介して、光軸と直交する面内を移動可能に支持する。また、固定地板１２３は、ばねかけ部を３個備える。これにより、付勢ばね１２７の一端を保持する。
【００４０】
第１電磁駆動部２０７は、この例では、公知のボイスコイルモータである。固定地板１２３に取り付けられた第１コイル１２５２に電流を流すことで、可動鏡筒１２２に固定された第１磁石１２５１との間にローレンツ力を発生し、可動鏡筒１２２を駆動することができる。第２電磁駆動部２０８は、第１電磁駆動部２０７と同様のボイスコイルモータを９０°回転させて配置したものであるので、詳しい説明は省略する。
【００４１】
付勢ばね１２７は、変形量に比例する付勢力を発生する引っ張りばねである。付勢ばね１２７は、一端を可動鏡筒１２２に固定され、他端を固定地板１２３に固定され、その間に付勢力を発生する。この付勢力により、転動ボール１２４が挟持され、転動ボール１２４は固定地板１２３と可動鏡筒１２２との接触状態を保つことができる。
【００４２】
位置センサ２０９および位置センサ２１０は、第１磁石１２５１および第２磁石１２６１の磁束を読み取るホール素子を利用した２つの磁気センサであり、その出力変化から、可動鏡筒１２２の平面内の移動を検出することができる。
【００４３】
センサーホルダー１２９は、概略円盤上に構成され、固定地板１２３に固定される。２つの位置センサ１２８を、第１磁石１２５１および第２磁石１２６１と対向する位置に保持することができる。また、センサーホルダー１２９は、固定地板１２３とともに形成された内部の空間に可動鏡筒１２２を収納することができる。これにより、像振れ補正装置に衝撃力がかかったときや、姿勢差が変化したときでも、内部の部品の脱落を防ぐことができる。上述した構成により、像振れ補正レンズ駆動部１０４は、光軸と直交する面上の任意の位置に第１像振れ補正レンズ１０３を移動させることができる。
【００４４】
図４は、第１像振れ補正レンズ１０３および第２像振れ補正レンズ１１３をそれぞれ備える像振れ補正レンズ駆動部の位置関係を示す図である。図４では、説明のために、像振れ補正レンズ駆動部の一部を分解・省略して示す。可動鏡筒１３２は、中央の開口部に第２像振れ補正レンズ１１３を保持する像振れ補正レンズ駆動部１０４が備える第２の可動部である。固定地板１３３は、第２像振れ補正レンズ１１３を備える像振れ補正レンズ駆動部１０４が備える第２の固定部材である。第２像振れ補正レンズ１１３を備える像振れ補正レンズ駆動部１０４は、レンズの形状およびそれを保持する可動鏡筒１３２の形状以外は、第１像振れ補正レンズ１０３を備える像振れ補正レンズ駆動部１０４と同様の構成であるため、詳しい説明は省略する。
【００４５】
図５は、本実施形態の像振れ補正装置が備えるピッチ方向の振れ信号を補正する機構を示す図である。第２像振れ補正制御部２０４、第２レンズ位置制御部２０６、第４レンズ位置制御部２１２、第２ドライブ部２０８、第４ドライブ部２１５によって実現されるヨー方向の振れ信号を補正する機構については、図５に示す機構と同様であるので、説明を省略する。
【００４６】
図５において、第１振動センサ２０１は、撮像装置に加わる振れ情報信号（角速度信号）を検出する。第１像振れ補正制御部２０３は、ＬＰＦ（ローパスフィルタ）５０３、パン判定部５０２、第１駆動リミット５０５を備える。第１振動センサ２０１が検出した像振れ信号は、フィルタ安定までの時定数が変更可能なＬＰＦ５０３により積分処理され、低周波成分のみ抽出された振れ角度信号が生成される。フィルタ安定までの時定数が変更可能とは、例えば、フィルタの係数を変更することによりカットオフ周波数を変更可能であること、もしくは、フィルタの演算内の演算結果（中間値）を保持するバッファを任意のタイミングで自由に書き換えられることを意味する。
【００４７】
パン判定部５０２は、撮像装置のパン動作を判定し、ＬＰＦ５０３のフィルタ安定までの時定数変更処理を行う。具体的には、パン判定部５０２は、第１振動センサ２０１が検出した振れ信号が規定値以上となった場合に、パン動作がされたと判定する。パン判定部５０２が、第１像振れ補正レンズ１０３の現在位置、第２像振れ補正レンズ１１３の現在位置が規定値以上となった場合に、パン動作がされたと判定してもよい。また、パン判定部５０２が、第１像振れ補正レンズ１０３の目標位置、第２像振れ補正レンズ１１３の目標位置が規定値以上となった場合に、パン動作がされたと判定してもよい。これにより、大きな振れが撮像装置に加わった場合に、第１像振れ補正レンズ１０３、第２像振れ補正レンズ１１３が可動範囲以上に駆動してしまうことを防止し、パン動作直後の揺れ戻しにより撮影画像が不安定になることを防止することができる。
【００４８】
以上のように生成された手振れ角度信号の低周波成分から生成された第１像振れ補正レンズ目標位置が、第１駆動リミット５０５で駆動量が制限された後に、第１レンズ位置制御部２０５へ入力される。また、第１像振れ補正レンズ目標位置と第１位置検出信号増幅器５０７により増幅された第１像振れ補正レンズ１０３の位置情報を減算した信号は、第２像振れ補正レンズ１１３の目標位置として保持される。
【００４９】
第１ホール素子２０９で検出された第１像振れ補正レンズ１０３の位置情報が、第１位置検出信号増幅器５０７によって所定の大きさに増幅された後に第１駆動リミット５０５から出力されたレンズ目標位置と比較される。そして、第１ドライブ部２０７を介して、位置フィードバック制御により像振れ補正動作が実行される。
【００５０】
また、第３ホール素子２１６で検出された第２像振れ補正レンズ１１３の位置情報が、第３位置検出信号増幅器５０８によって所定の大きさに増幅された後に保持されている第２像振れ補正レンズ目標位置と比較される。そして、第３ドライブ部２１４を介して位置フィードバック制御により像振れ補正動作が実行される。
【００５１】
このように、第１像振れ補正レンズの目標位置と第１位置検出信号増幅器５０７の減算結果は、第１像振れ補正レンズによる像振れ補正残りを意味する。この像振れ補正残り分を第２像振れ補正レンズの駆動により除去するために第２像振れ補正レンズ１１３の目標位置を決める。第１像振れ補正レンズで補正残りが発生する要因としては、第１像振れ補正レンズの駆動特性（摩擦影響、姿勢などの外乱影響）や、第１レンズ位置制御部の応答性、制御帯域などが影響すると考えられる。
【００５２】
第１レンズ位置制御部２０５および第３レンズ位置制御部２１１については、任意の制御演算器を使用してもよい。この例では、第１レンズ位置制御部２０５および第３レンズ位置制御部２１１としてＰＩＤ制御器を使用する。
【００５３】
図６は、本実施形態の撮像装置による像振れ補正レンズの目標位置算出処理を説明するフローチャートである。像振れ補正制御演算は、一定周期間隔で実行される。まず、処理が開始すると（ステップＳ１０１）、第１振動センサ２０１が像振れ信号を取得する（ステップＳ１０２）。
【００５４】
次に、パン判定部５０２が、撮像装置がパン動作（パンニング）中であるか否かを判定する（ステップＳ１０５）。撮像装置がパンニング中であると判定された場合は、ＬＰＦ５０３の演算が安定するまでの時定数を短くする演算処理が行われる（ステップＳ２０１）。パンニング中ではないと判定された場合は、時定数変更の処理は行わず、処理がステップＳ１０８に進む。
【００５５】
ステップＳ１０８において、ＬＰＦ５０３が、取得した出力値を積分して、角速度情報から角度情報へ変換する（ステップＳ１０８）。
次に、第１駆動リミット５０５が、ＬＰＦ５０３の出力値を所定の大きさに制限する（ステップＳ１０９）。
【００５６】
そして、ステップＳ１０９において、ＬＰＦ５０３の出力値は、第１駆動リミット５０５で所定の大きさに制限された後に、第１レンズ位置制御部２０５へ入力される（ステップＳ１１６）。これにより、第１像振れ補正レンズが駆動される。
【００５７】
次に、第１像振れ補正レンズ１０３の現在位置を第１位置検出増幅器５０７から取得する（ステップＳ１１７）。そして、ステップＳ１０９にて算出した第１像振れ補正レンズ目標位置からステップＳ１１７にて取得した現在位置を減算し、第２像振れ補正レンズ目標位置として保存する（ステップＳ１１８）。
【００５８】
次に、ステップＳ１１８にて保存した第２レンズ目標位置が第３レンズ位置制御部２１１に入力される（ステップＳ１１９）。これにより、第２像振れ補正レンズが駆動される。このように、撮像装置に加わる像振れ信号に対して、第１及び第２像振れ補正レンズを駆動することで、撮像装置に加わる像振れの影響が除去される。
【００５９】
なお、本実施形態では、第１および第２像振れ補正レンズのそれぞれの駆動ストロークに対する像振れ補正角度の関係が同一であるとして、第１像振れ補正レンズによる目標位置と現在位置の減算値を第２像振れ補正レンズの目標位置としてそのまま入力している。しかしながら、第１像振れ補正レンズと第２像振れ補正レンズの駆動ストロークに対する補正角度が異なる場合、第１像振れ補正レンズの目標位置と現在位置の減算値に、第２像振れ補正レンズの駆動ストロークに対する像振れ補正角度を考慮した係数を積算する。この場合、第２レンズ目標位置として第３レンズ位置制御部へ入力する必要がある。
【００６０】
（現在位置検出手段の構成）
ここで、本実施形態の第１および第２像振れ補正手段の現在位置を検出する現在位置検出手段の位置検出精度の関係について図１０を用いて説明する。図１０は、像振れ補正レンズの位置検出手段として公知のホール素子を用いた場合の、像振れ補正レンズの駆動ストロークと、ホール素子出力の関係を示した図である。ホール素子は、原理上、磁束密度に比例した出力を得ることができるため、前述のように、ホール素子と像振れ補正レンズに設けられた磁石による磁場の強さに応じた電圧を有する信号を、位置情報として出力する。
【００６１】
従来、図１０（Ａ）に示すように、像振れ補正レンズの駆動方向１軸に対して、ホール素子を１つ使用して位置を検出している。この場合、磁石の小型化等が進むと磁束を検出領域が狭くなるため、駆動ストロークに対してホール素子がリニアに検出できる位置検出範囲が狭くなり、駆動ストロークの大きい領域で正しく位置が検出できない領域が存在する。そのため、振れ補正角度が大きい領域（駆動ストロークに大きい領域）での、像振れ補正レンズの位置が正しく検出できず、像振れ補正性能が低下してしまう恐れがある。
【００６２】
そこで、図１０（Ｂ）に示すように、公知の駆動方向に対してホール素子をずらして２つ配置する方法が用いられている。この方法では、２つのホール素子の出力が対象になることを利用して、２つのホール信号出力の差を位置検出信号とすることで、駆動ストロークに対してリニアに位置を検出できる範囲を広くすることができる。
【００６３】
しかしながら、位置検出するためには、駆動方向１軸に対して２つのホール素子を使用する。２つの像振れ補正手段に対して、各駆動軸２軸すべての現在位置検出の精度を上げようとすると、図１０（Ａ）方式では、ホール素子４個（２レンズ×２駆動軸）であり、図１０（Ｂ）方式では、ホール素子８個（２レンズ×２駆動軸×２個）である。従って、個数が増加することにより、コストが大幅に増加する恐れがある。
【００６４】
そこで、本実施形態では、前述のように第１の像振れ補正レンズの駆動ストロークを大きく設定し、補正角度を広くする。これにより、大きな像振れに対しても精度よく補正できるように、第１の像振れ補正レンズの現在位置検出手段は、図１０（Ｂ）のホール素子を２つ使用した位置検精度の高い構成とする。
【００６５】
一方、第２の像振れ補正レンズは、第１の像振れ補正レンズの像振れ補正残りのみを補正するように制御するため、第２の像振れ補正レンズの駆動ストロークは、第１の像振れ補正レンズの駆動ストロークに比べて小さい。このため、第２の像振れ補正レンズの現在位置検出手段は、図１０（Ａ）のホール素子を１つ使用した検出精度の低い構成とすることができる。
【００６６】
従って、本実施形態で必要な位置検出のためのホール素子は、６個となる（第１の像振れ補正手段：２駆動軸×２個＋第２の像振れ補正手段：２駆動軸×１個）。以上のように、第１および第２の像振れ補正レンズの役割を分けて、駆動ストロークの振り分けを設定することにより、像振れ補正レンズの位置検出のためのセンサにかかるコストの増加を低減することができる。
【００６７】
また、第２の像振れ補正レンズは、第１の像振れ補正レンズに比べて駆動ストロークが小さいため、補正装置の大型化も回避することができる。また、本実施形態では、位置検出精度が高い方式として、ホール素子を２つ使用する方式を説明しているが、光学エンコーダー等の別のセンサを使用してもよい。
【００６８】
ここで、本実施形態の像振れ補正装置が備える第１の像振れ補正手段および第２の像振れ補正手段駆動条件について、図９を参照して説明する。この例では、第１像振れ補正レンズ１０３が、第１の像振れ補正手段として機能する。また、第１像振れ補正レンズ１１３が、第２の補正手段として機能する。なお、本実施形態では、第１の像振れ補正手段がチルトレンズであり、第２の像振れ補正手段がシフトレンズとしているが、この構成に限定することなく、逆の構成であってもよい。
【００６９】
（像振れ補正目標位置）
第１及び第２の像振れ補正手段の像振れ補正目標位置の決定方法は、像振れ信号に従って、まず第１の像振れ補正手段を駆動することで像振れ補正を行う。次に、第１の像振れ補正手段の目標位置と現在位置の減算値から算出される第１の像振れ補正手段の像振れ補正残りを第２の像振れ補正手段の像振れ補正目標位置とする。
【００７０】
（像振れ補正の補正角度）
第１の像振れ補正手段の像振れ補正角度は、第２の像振れ補正手段の像振れ補正角度に比べて広く設定する。これは、第１の像振れ補正手段により大きな像振れ成分を除去した後に、第１の像振れ補正手段で補正しきれなかった補正残り分を第２の像振れ補正手段の目標位置とするためである。また、一般的に、第１の像振れ補正手段の目標位置に比べて、第２の像振れ補正手段の目標位置が小さくなるためである。このように、像振れ補正の方法を、大きな駆動ストロークで主に補正する補正手段と、補助的に小さなストロークで補正残りのみ除去する補正手段と役割分担することで、第１の像振れ補正手段に比べて、第２の像振れ補正手段のメカ構成を小さくすることができる。
【００７１】
（レンズ駆動による光学性能劣化）
一般的に、像振れ補正手段の駆動量が大きくなると、周辺光量、解像度、収差などが劣化する傾向がある。そのため、像振れ補正のため駆動量が大きくなりやすい第１の像振れ補正手段については、第２の像振れ補正手段に比べて、レンズ駆動による光学性能を劣化しにくい構成に設定する。
【００７２】
（像振れ補正レンズの駆動方式）
像振れ補正レンズの駆動方式は、公知である光軸に対してチルトする方式の駆動方法の方が、光軸に直交する面にシフトする方式に比べて、光学性能の劣化が小さい。したがって、第１の補正手段が備える第１像振れ補正レンズ１０３は、チルト方向へ駆動する方式とし、第２の補正手段が備える第２像振れ補正レンズ１１３は、シフト駆動する方式とする。
【００７３】
（レンズ配置位置）
一般的に、被写体側に配置されたレンズの方が、像振れ補正手段の駆動量に対して、像振れ補正角度が大きく光学性能の劣化が小さい。そのため、本実施形態では、第１像振れ補正レンズ１０３は、第２像振れ補正レンズ１１３よりも被写体側に近い方へ配置する。
【００７４】
（位置検出信号増幅率）
ホール素子が出力する信号（ホール素子信号）は、像振れ補正レンズの位置検出信号である。像振れ補正手段の位置を検出するためのホール素子信号を所定の倍率に増幅する位置検出信号増幅器の増幅率は、第１の像振れ補正手段の増幅率を第２の像振れ補正手段の増幅率に比べて小さく設定する。これは、位置検出信号増幅器のホール信号増幅率が大きい方が、位置検出に対する分解能は向上するが増幅後の電気信号をデジタル的にＡＤコンバータなどで取得する場合には、限られた電圧レンジ内でダイナミックレンジが広くとれない場合が多い。分解能とダイナミックレンジを両方成立させるために、大きく駆動する可能性が高く、ダイナミックレンジの第１の像振れ補正手段の位置検出増幅率は、小さく設定する。また、第１の像振れ補正レンズの補正残りのみを補正する、駆動ストロークは小さいが、細かな振れが多い第２の像振れ補正手段の位置検出増幅率は、大きく設定することで位置検出の分解能を高くする。具体的には、第１の信号増幅手段である第１位置検出信号増幅器５０７による信号増幅率を、第２の信号増幅手段である第３位置検出信号増幅器５０８による信号増幅率よりも小さくする。
【００７５】
（帰還制御手段周波数帯域）
第１の像振れ補正手段で補正しきれなかった補正残り成分は、主に低周波で大きい振幅の大きな成分は取り除かれている。また、外乱影響などで発生する補正残り成分は、一般的に高周波成分が大きい。そのため、第１の像振れ補正手段の像振れ補正残りを補正する第２の像振れ補正手段の帰還制御手段（第２のフィードバック制御手段）の周波数帯域は、第１の像振れ補正手段の帰還制御手段（第１のフィードバック制御手段）の周波数帯域に比べて高く設定する。
【００７６】
（レンズ駆動ストロークに対する像振れ補正角度）
像振れ補正レンズの光学特性上、同じ駆動ストロークに対して得られる像振れ補正角度は異なる。より大きな像振れ補正角度が必要な第１の像振れ補正手段は、第２の像振れ補正手段に比べて、駆動ストロークに対して得られる像振れ補正角度の大きいレンズを使用する。
【００７７】
以上のように設定することで、本実施形態によれば、大きな駆動ストロークが必要な第１の像振れ補正手段のメカ構成をなるべく小さくすることができ、装置を大型化することなく振れ補正効果の高い、像振れ補正装置を提供することができる。
【００７８】
（第２実施形態）
本実施形態では、第１及び第３像振れ補正レンズの駆動条件など、像振れ補正制御部２０３の構成以外は、第１実施形態と同じ構成であるため、その説明を省略する。図７は、第１像振れ補正制御部２０３、第１レンズ位置制御部２０５、及び第３レンズ位置制御部２１１の内部構成を示すブロック図である。なお、第２像振れ補正制御部２０４、第２レンズ位置制御部２０６、及び第４レンズ位置制御部２１２も図７に示す内部構成を有しているため、その説明を省略する。
【００７９】
図７において、第１振動センサ２０１は、撮像装置に加わる振れ信号（角速度信号）を検出する。ローパスフィルタ（ＬＰＦ）５０１は、第１振動センサ２０１が検出した振れ信号から、低周波成分を抽出する。ＬＰＦ５０１により抽出された低周波の振れ信号は、フィルタ安定までの時定数が変更可能なＬＰＦ５０３により積分処理され、低周波成分のみ抽出された振れ角度信号が生成される。
【００８０】
なお、フィルタ安定までの時定数が変更可能とは、例えば、フィルタの係数を変更することによりカットオフ周波数を変更可能であること、またはフィルタの演算内の演算結果（中間値）を保持するバッファを任意のタイミングで自由に書き換えることを意味する。
【００８１】
パン判定部５０２がパン動作と判定した場合、ＬＰＦ５０３および５０４のフィルタ安定までの時定数変更処理を行う。パン判定部５０２は、例えば、撮像装置がパン、チルト動作や大きく振られた際の各振動センサが検出した振れ信号、各像振れ補正レンズの現在位置、若しくは各像振れ補正レンズ目標位置情報が予め決められた所定値より大きくなったときにパン動作と判定する。また、パン判定部５０２は、例えば、第一像振れ補正レンズ１０３または第２像振れ補正レンズ１１３の位置がレンズ中心位置から大きく離れたときにパン動作と判定する。
【００８２】
この処理により大きな振れが撮像装置に加わった場合に、像振れ補正レンズが可動範囲以上に駆動してしまうことを防止し、またパン動作直後の揺れ戻しにより撮影画像が不安定になることを防止する。
【００８３】
一方、振動センサ２０１で検出された振れ信号からＬＰＦ５０１で抽出された低周波成分を減算することで、振れ信号から高周波成分を抽出する。ＬＰＦ５０４は、抽出された高周波成分を積分処理するためのローパスフィルタであり、振れ信号の高周波成分を積分することで、角速度情報から角度情報に変換し、高周波成分のみ抽出された振れ角度信号が生成される。なお、ＬＰＦ５０３およびＬＰＦ５０４の係数を変更することでフィルタの出力を任意の倍率で出力することが可能である。
【００８４】
このように生成された低周波および高周波の振れ角度信号は、それぞれ第１レンズ位置制御部２０５、第３レンズ位置制御部２１１に入力される。具体的には、低周波成分から生成された第１の像振れ補正レンズ１０３の目標位置は、第１駆動リミット５０５で駆動量を制限された後、第１レンズ位置制御部２０５へ入力される。または、高周波成分から生成された第２の像振れ補正レンズ１１３の目標位置は、第３駆動リミット５０６で駆動量を制限された後、第３レンズ位置制御部２１１へ入力される。
【００８５】
第１ホール素子２０９で検出された第１像振れ補正レンズ１０３の位置情報は、第１位置検出信号増幅器５０７により所定の大きさに増幅される。その後、第１駆動リミット５０５から出力されたレンズ目標位置と比較され、第１ドライブ部２０７を介して位置フィードバック制御により像振れ補正動作が実行される。また、第２像振れ補正レンズ１１３の位置を検出する第３ホール素子２１６で検出された位置情報は、第３位置検出信号増幅器５０８により所定の大きさに増幅される。その後、第３駆動リミット５０６から出力されたレンズ目標位置と比較され、第３ドライブ部２１４を介して位置フィードバック制御により像振れ補正動作が実行される。なお、第１レンズ位置制御部２０５および第３レンズ位置制御部２１１の構成は、例えば、ＰＩＤ制御を使用するが、どのような制御演算器を使用してもよい。
【００８６】
以上のように構成された撮像装置において行われる像振れ補正レンズ制御方法について図８を参照して説明する。図８は、本実施形態の撮像装置による像振れ補正レンズ目標位置算出処理を説明するフローチャートである。この処理は、一定周期間隔で実行される。まず、処理が開始すると（ステップＳ１０１）、第１振動センサ２０１が手振れ信号を取得する（ステップＳ１０２）。続いて、ＬＰＦ５０１が、手振れ信号の周波数帯域を分割する演算を行い（ステップＳ１０３）、ＬＰＦ５０１の演算結果が手振れ信号の低周波成分としてメモリに保存される（ステップＳ１０４）。
【００８７】
次に、パン判定部５０２が、撮像装置がパン動作（パンニング）中であるか否かを判定する（ステップＳ１０５）。撮像装置がパンニング中であると判定された場合は、ＬＰＦ５０３、５０４の演算が安定するまでの時定数を短くする処理が行われる（ステップＳ１０６）。一方、パンニング中ではないと判定された場合は、時定数変更の処理は行わず、処理がステップＳ１０７に進む。
【００８８】
ステップＳ１０７において、ＬＰＦ５０３が、ステップＳ１０４でメモリに保存されたＬＰＦ５０１の出力値を取得する（ステップＳ１０７）。そして、ＬＰＦ５０３が、取得した出力値を積分して、角速度情報から角度情報へ変換する（ステップＳ１０８）。
次に、第１駆動リミット５０５が、ＬＰＦ５０３の出力値を所定の大きさに制限する（ステップＳ１０９）。そして、第１駆動リミット５０５が、ＬＰＦ５０３の出力値を第１レンズ位置制御部２０５へ入力する（ステップＳ１１０）。これにより、第１像振れ補正レンズ１０３が駆動される。
【００８９】
次に、ステップＳ１０２で取得された手振れ信号からステップＳ１０４で保存されたＬＰＦ５０１の出力値を減算して（ステップＳ１１１）、手振れ信号の高周波数成分が抽出される。このようにして、手振れ信号がＬＰＦ５０１で設定したカットオフ周波数にて低周波成分と高周波成分に分割される。
【００９０】
ＬＰＦ５０４が、抽出された手振れ信号の高周波成分を積分することで角速度信号から角度信号に変換する（ステップＳ１１２）。そして、第３駆動リミット５０６が、ＬＦＰ５０４の出力値を所定の大きさに制限して（ステップＳ１１３）、第３レンズ位置制御部２１１へ入力する（ステップＳ１１４）。これにより、第２像振れ補正レンズ１１３が駆動され、処理が終了する（ステップＳ１１５）。このように、手振れ信号の低周波及び高周波信号に対して像振れ補正レンズが駆動されることで、撮像装置に加わる手振れの影響が除去される。
【００９１】
（現在位置検出手段の構成）
本実施形態に係る第１像振れ補正レンズ１０３および第２像振れ補正レンズ１１３の現在位置を検出する現在位置検出手段の位置検出精度の関係については、第１実施形態と同様のためその詳細を省略する。本実施形態では、前述のように、第１像振れ補正レンズ１０３は、手振れ信号のうち低周波成分のみを抽出し、これを補正するために駆動されるため、駆動ストロークが大きくなる傾向がある。補正角度を広くすることで大きな手振れに対しても精度よく補正できるように、第１像振れ補正レンズ１０３の現在位置検出手段は、図１０（Ｂ）のホール素子を２つ使用した位置検精度の高い構成とする。
【００９２】
一方、第２像振れ補正レンズ１１３は、手振れ信号のうち高周波成分のみを抽出し、これを補正するために駆動されるため、第１像振れ補正レンズ１０３の像振れ補正量に比べて小さい補正量となり駆動ストロークが小さくなる。そのため、第２の像振れ補正レンズの現在位置検出手段は、図１０（Ａ）のホール素子を１つ使用した検出精度の低い構成とすることができる。以上のように、第１像振れ補正レンズ１０３および第２像ぶれ補正レンズ１１３の手振れ補正する周波数帯域を分けて、駆動ストロークの振り分けを設定することで第１実施形態と同様の効果を得ることができる。
【００９３】
以上により、本実施形態においても、撮影者の手振れ特性の違いや撮影状況の違いによる像振れ補正性能の低下を防止する像振れ補正装置を提供することができる。
【００９４】
本発明の各工程は、ネットワーク又は各種記憶媒体を介して取得したソフトウェア（プログラム）をパソコン（コンピューター）等の処理装置（ＣＰＵ、プロセッサ）にて実行することでも実現できる。
【００９５】
以上、本発明の好ましい実施形態について説明したが、本発明は、これらの実施形態に限定されず、材質、形状、寸法、形態、数、配置箇所等は、その要旨の範囲内で種々の変形および変更が可能である。
【符号の説明】
【００９６】
１０３  第１像振れ補正レンズ
１１３  第２像振れ補正レンズ
２０１  第１の振動センサ
２０３  第１像振れ補正制御部
２０９  第１ホール素子
２１６  第３ホール素子
【図１】
2015102776.tif 000003
【図２】
2015102776.tif 000004
【図３】
2015102776.tif 000005
【図４】
2015102776.tif 000006
【図５】
2015102776.tif 000007
【図６】
2015102776.tif 000008
【図７】
2015102776.tif 000009
【図８】
2015102776.tif 000010
【図９】
2015102776.tif 000011
【図１０】
2015102776.tif 000012